(57)【要約】【課題】カメラマンの負荷を増やすことなく、編集工程で利用可能なメタデータを収集し、編集をスムーズに行う仕組みを提供する。【解決手段】映像、音声などのマルチメディアデータで構成されるコンテンツのメタデータを撮影あるいは編集する前に入力する事前メタデータ入力手段２０７と、記録メディア１０２に記録されたコンテンツをコンテンツサーバ１０４にインジェストするインジェスト手段２０１と、事前メタデータ入力手段により付与された事前メタデータをコンテンツと照合し、事前メタデータを前記コンテンツに関連付けるメタデータ付与手段２０４により、メタデータを収集する。【選択図】図２
2007194696.tif 000002
【特許請求の範囲】
【請求項１】
映像、音声、およびそれに対するメタデータで構成されるコンテンツに関連付けられる情報を撮影あるいは編集する前に入力する事前メタデータ入力手段と、
前記事前メタデータ入力手段により付与された事前メタデータを前記コンテンツと照合し、前記事前メタデータを前記コンテンツに関連付けるメタデータ付与手段を具備することを特徴とするコンテンツ管理システム。
【請求項２】
前記事前メタデータとして、撮影予定を記録したスケジュール情報を利用する請求項１記載のコンテンツ管理システム。
【請求項３】
前記メタデータ付与手段において、前記コンテンツと前記スケジュール情報から番組のシーケンス情報を類推して前記コンテンツに前記シーケンス情報を付与することを特徴とする請求項２記載のコンテンツ管理システム。
【請求項４】
前記事前メタデータとして、事件あるいは事故のおきた場所と時間を記録したニュース情報を利用する請求項１記載のコンテンツ管理システム。
【請求項５】
前記メタデータ付与手段において、記録メディアに固有のＩＤを照合時に使用することを特徴とする請求項１記載のコンテンツ管理システム。
【請求項６】
前記コンテンツを管理するコンテンツサーバと、
前記コンテンツサーバに前記コンテンツの映像、音声データを転送するとともに、前記コンテンツのメタデータを登録するインジェスト手段と、
インジェスト時に前記事前メタデータをコンテンツに関連付けるメタデータ付与手段を具備することを特徴とする請求項１記載のコンテンツ管理システム。
【請求項７】
前記事前メタデータを記録されるメディアに記録し、コンテンツ記録時に前記事前メタデータをコンテンツに関連付けるメタデータ付与手段を具備することを特徴とする請求項１記載のコンテンツ管理システム。
【発明の詳細な説明】
【技術分野】
【０００１】
本発明は、利用者の負担を増やすことなく、素材に対するメタデータを収集するコンテンツ管理システムに関する。
【背景技術】
【０００２】
従来の放送局の番組制作の形態はテープを基盤にしたリニア編集がメインであり、テープを受け渡して作業工程を進めていく方法であった。昨今ノンリニア編集をはじめ、多くのデジタル関連機器が放送局に導入され、制作の形態も変わりつつある。たとえば、カメラレコーダで半導体メモリに記録した映像を素材サーバにインジェストし、素材サーバにある素材をノンリニア編集機で編集するというようなコンピュータ化、ネットワーク化された作業形態が増えてきている（例えば、特許文献１参照。）。
【０００３】
従来のテープを受け渡す作業形態では、手渡されたテープの中から使用するシーンを特定する作業を編集者は最初に行う。素材サーバに素材を集約する作業形態では、素材サーバに蓄えられている膨大な素材の中から使用するシーンを特定しなければならないが、素材サーバのすべての映像を確認することは不可能である。よって、素材のフィルタリングや素材中の特定のシーンの検索のために、素材に付加されている映像、音声以外のデータ（メタデータ）を利用することが不可欠である。従来はインジェスト時に素材に名前をつけたり、フォルダ分けしたりするなど手作業でメタデータの付与を行っており、作業者に多くの負担がかかっていた。
【０００４】
最近、認識技術の向上により、映像・音声からメタデータを自動的に抽出する方法も出てきているが、おもにサーバ型放送など放送済みあるいは放送前の番組に対して行われており、編集前の素材に対しては応用されていない。
【特許文献１】特開２００１−２９２４１０号公報
【発明の開示】
【発明が解決しようとする課題】
【０００５】
光ディスクや半導体メモリ、ＨＤＤ等ランダムアクセスが可能なメディアに記録を行うカメラレコーダにより、撮影時にメタデータを付けることが可能になってきている。しかしカメラマンは、メタデータの付与、特にテキスト形式のメタデータを入力することを負担に感じること、撮影に集中するために他の作業に抵抗を感じる傾向にあることから、カメラマンに現場でメタデータの入力を期待するのは非現実的である。
【０００６】
上記課題に鑑み本発明は、カメラマンの負荷を増やすことなく、編集工程で利用可能なメタデータを収集し、編集をスムーズに行う仕組みを作ることを目的とする。
【課題を解決するための手段】
【０００７】
上記課題を解決するために本発明のコンテンツ管理システムは、映像、音声、およびそれに対するメタデータで構成されるコンテンツに関連付けられる情報を撮影あるいは編集する前に入力する事前メタデータ入力手段と、事前メタデータ入力手段により付与された事前メタデータをコンテンツと照合し、事前メタデータを前記コンテンツに関連付けるメタデータ付与手段とを具備することを特徴とする。
【発明の効果】
【０００８】
既存のデータとカメラレコーダで自動生成されるデータを利用することにより、利用者の負担を増やすことなく、メタデータを付与することができる。また、メタデータ管理表を利用することでコンテンツの検索や編集などを効率的に行うことができる。
【発明を実施するための最良の形態】
【０００９】
（実施の形態１）
本発明の運用例を図１に示す。まず、事前メタデータ入力端末１００で撮影前に撮影スケジュールなどのデータ（事前メタデータ）を入力する。次に、カメラレコーダ１０１で映像を撮影し、映像を記録メディア１０２に記録する。記録メディア１０２には映像、音声データ（エッセンス）のほかにエッセンスに付加されているメタデータ（撮影時メタデータ）が記録される。本実施の形態では、エッセンスとメタデータを含めてコンテンツと呼ぶ。インジェスト端末１０３はコンテンツサーバ１０４へコンテンツをインジェストする。その際、記録メディア１０２に入っている撮影時メタデータと事前メタデータ入力端末で入力した事前メタデータを参照して、コンテンツサーバ１０４にメタデータ（蓄積メタデータ）を登録する。ノンリニア編集機１０５はコンテンツサーバ１０４に格納されている蓄積メタデータを参照しながら，所望のコンテンツあるいはシーンを特定し，データをダウンロードあるいは直接参照して編集を行う。
【００１０】
本実施の形態の構成を図２に示す。本実施の形態では、事前メタデータにカメラマンのスケジュールを採用することにする。
【００１１】
事前メタデータ入力手段２０７では、撮影のスケジュール（持ち出した記録メディアのＩＤ、撮影者、撮影日、取材目的、取材対象、リポータの６項目）を、撮影に行く前にカメラマンあるいは管理者が入力する。事前メタデータ管理表２０２は各個人の行動予定を一括管理する情報で図３に示すような形式で保存されている。たとえば行４０１には、Ａさんは２００５／０６／０１は選手Ｘの週間ＭＶＰの件で取材に行き、その際のレポートはＣさんがしたという情報が格納されている。
【００１２】
記録メディア１０２は、図１で説明したとおり、カメラレコーダで撮影したコンテンツが記録されている記録メディアで、テープ、光ディスク、半導体メモリ、ＨＤＤなどの記録メディアである。本実施の形態では、撮影時メタデータは図４に示すようなＸＭＬ（ｅＸｔｅｎｓｉｂｌｅ  Ｍａｒｋｕｐ  Ｌａｎｇｕａｇｅ）で記録されているとする。図４の４０２は、ＩＤがＣ００１で、２００５／０６／０１の１１：００：００に撮影したコンテンツであることを示している。
【００１３】
インジェスト手段２０１は、記録メディア１０２に記録されているコンテンツのエッセンスをコンテンツサーバ１０４の共有ディスク２０６に転送すると同時に、撮影時メタデータとメディアＩＤをメタデータ付与手段２０４に通知する。
【００１４】
メタデータ付与手段２０４はコンテンツの撮影日とメディアＩＤに合致する情報が事前メタデータ管理表２０２に存在するか事前メタデータ取得手段２０３に問い合わせる。
【００１５】
事前メタデータ取得手段２０３は事前メタデータ管理表２０２から事前メタデータを取得し、メタデータ付与手段２０４に通知する。図４のデータでは、撮影日が２００５／０６／０１であり、このコンテンツが記録されているメディアＩＤがＭ００１であるので、行４０１の情報を通知する。これを受けたメタデータ付与手段２０４は、図３のＸＭＬの情報に撮影者、取材目的、取材対象、レポーターの情報を付与して、図５に示すように蓄積メタデータ４０３をメタデータ管理表２０５に追加する。
【００１６】
なお、本実施の形態では、事前メタデータとしてスケジュール情報を利用し、主に報道向けの応用例を示した。事前メタデータはスケジュール情報に限定されておらず、番組制作向けにはシーケンス情報を利用することもできる。事前メタデータ管理表２０２に日付、メディアＩＤとその日に撮影したシーンの情報を図６に示すような形式で記録する。行４１１は２００５／０６／０１にシーン３と４を記録メディアＭ００１に記録したことを示している。たとえば、２００５／０６／０１に３コンテンツ、Ｃ００１、Ｃ００２、Ｃ００３がそれぞれ１１：００：００、１１：２０：００、１４：３０：００に撮影されたとする。メタデータ付与手段２０４は、シーン、テイクの付与を図７に示すステップで処理する。シーン取得ステップ４２１は、行４１１から２００５／０６／０１に撮影されたのは３と４のシーンであることを認識する。シーン分離ステップ４２２は、３コンテンツに対して２シーンであるため、２つが同一シーンのテイク違いのものであるとみなし、シーンとシーンの間は時間的に開いているのが一般的であるというヒューリスティックを用いて、Ｃ００１とＣ００２が同じシーンであり、Ｃ００３が別のシーンであるとする。テイク付与ステップ４２３は、Ｃ００１がテイク１、Ｃ００２がテイク２のように、同一シーンの最初に撮影されたものをテイク１とし、それ以降番号を１つずつインクリメントしてテイク番号を付与する。これらのステップにより行４１２のようにシーン番号、テイク番号が付与される。
【００１７】
なお、本実施の形態では、インジェスト時に蓄積メタデータを付ける方法を示したが、図８のように、すでにコンテンツサーバ１０４に蓄積されているデータに蓄積メタデータを付与することもできる。たとえば、ニュース情報などは撮影時より後にデータが整備され使用できるようになるので、これを例にとってメタデータ管理表２０５に蓄積メタデータが追加される様子を説明する。図９に示す事前メタデータ管理表２０２は日付、時間、緯度、経度、事象が記録されたニュースデータベースである。メタデータ管理表２０５には、コンテンツのＩＤ、撮影日、撮影時間、緯度、経度が記録されている。メタデータ付与手段２０４はメタデータ管理表２０５の撮影日、撮影時間、緯度、経度と事前メタデータ管理表２０２の日付、時間、緯度、経度を照合する。Ｃ００１は２００５／０６／０１、１１：００：００に緯度ＸＸＸＸ、経度ＹＹＹＹで撮影されているため、事前メタデータ管理表２０２の行５０１と一致する。そこで“山火事”という事象をメタデータ管理表２０５の行５０２に反映する。
【００１８】
なお、本実施の形態では、事前メタデータを事前メタデータ管理表２０２として事前メタデータ入力端末で管理する例を示したが、この事前メタデータを撮影前に記録メディア１０２に記録してもよい。その場合は、本実施例で述べたようにインジェスト時に事前メタデータとカメラレコーダで作成した撮影時メタデータをマージする処理をする方法と、撮影時に事前メタデータとカメラレコーダで自動作成するメタデータをマージして撮影時メタデータとして記録する方法がある。後者の場合は、図１０に示すように図５と同等の情報がＸＭＬ形式で記録されるため、インジェスト時にメタデータを付与する処理を必要としない。
【００１９】
以上により、撮影されたコンテンツをカメラマンの負担なしにメタデータが蓄積する仕組みを構築できる。
【産業上の利用可能性】
【００２０】
本発明は、コンテンツのメタデータを有効活用するシステムの構築に有効である。
【図面の簡単な説明】
【００２１】
【図１】実施の形態１の運用例を示す図
【図２】実施の形態１のシステム構成を示す図
【図３】事前メタデータ管理表（スケジュール情報）の一例を示す図
【図４】撮影時メタデータの一例を示す図
【図５】メタデータ管理表（スケジュール情報）の一例を示す図
【図６】シーケンス情報の一例を示す図
【図７】シーケンス情報類推方法を示す図
【図８】事後付与の構成を示す図
【図９】ニュース情報の一例を示す図
【図１０】事前メタデータを付与した撮影時メタデータの一例を示す図
【符号の説明】
【００２２】
１００  事前メタデータ入力端末
１０１  カメラレコーダ
１０２  記録メディア
１０３  インジェスト端末
１０４  コンテンツサーバ
１０５  ノンリニア編集機
２０１  インジェスト手段
２０２  メタデータ管理表
２０３  事前メタデータ取得手段
２０４  メタデータ付与手段
２０５  メタデータ管理表
２０６  共有ディスク
２０７  事前メタデータ入力手段
４０１  スケジュール情報（事前メタデータ管理表）
４０２  撮影時メタデータ
４０３  スケジュール情報（メタデータ管理表）
４１１  シーケンス情報（事前メタデータ管理表）
４１２  シーケンス情報（メタデータ管理表）
４２１  シーン取得ステップ
４２２  シーン分離ステップ
４２３  テイク付与ステップ
５０１  ニュース情報（事前メタデータ管理表）
５０２  ニュース情報（メタデータ管理表）
【図２】
2007194696.tif 000003
【図３】
2007194696.tif 000004
【図４】
2007194696.tif 000005
【図５】
2007194696.tif 000006
【図６】
2007194696.tif 000007
【図７】
2007194696.tif 000008
【図８】
2007194696.tif 000009
【図９】
2007194696.tif 000010
【図１０】
2007194696.tif 000011
【図１】
2007194696.tif 000012